【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
サポートされるランクに少なくとも部分的に基づいてチャネル状態情報（ＣＳＩ）報告のためのペイロードサイズを決定することと、
前記決定されたペイロードサイズに基づいて前記ＣＳＩ報告のためのパケット長を計算することと、
コーディングされたパケットを生成するために、前記ペイロードサイズおよび前記計算されたパケット長に基づいて、選択されたＣＳＩリソースインデックス（ＣＲＩ）について前記ＣＳＩを符号化することと
を備える、ワイヤレス通信のための方法。
【請求項２】
前記ＣＳＩ報告のための前記ペイロードサイズが、前記選択されたＣＲＩについての最大ＣＳＩビット数（maximum number of CSI bits）に基づく、請求項１に記載の方法。
【請求項３】
前記最大ＣＳＩビット数が、プリコーディング行列インジケータ（ＰＭＩ）のｉ１およびｉ２部分についてのＰＭＩビットの合計、ならびにチャネル品質インジケータ（ＣＱＩ）ビットの合計として決定される、請求項２に記載の方法。
【請求項４】
前記選択されたＣＲＩについての前記最大ＣＳＩビット数がルックアップテーブル（lookup table）から得られる、請求項２に記載の方法。
【請求項５】
前記符号化することが、前記選択されたＣＲＩにかかわらず前記パケット長が同じであることを確実にするためにパディングビットを含めることを備える、請求項１に記載の方法。
【請求項６】
前記符号化することが、１つのＣＲＩのみが考慮される場合にＣＲＩフィールドを省略することを備える、請求項１に記載の方法。
【請求項７】
前記符号化することが、前記選択されたＣＲＩについての前記サポートされるランクが１である場合にランクインジケータ（ＲＩ）フィールドを省略することを備える、請求項１に記載の方法。
【請求項８】
前記符号化することが、少なくともポーラ符号について、前記コーディングされたパケット中のＣＳＩビットを情報ビット位置に昇順でマッピングすることを備える、請求項１に記載の方法。
【請求項９】
サポートされるランクに少なくとも部分的に基づいてチャネル状態情報（ＣＳＩ）報告のためのペイロードサイズを決定するための手段と、
前記決定されたペイロードサイズに基づいて前記ＣＳＩ報告のためのパケット長を計算するための手段と、
コーディングされたパケットを生成するために、前記ペイロードサイズおよび前記計算されたパケット長に基づいて、選択されたＣＳＩリソースインデックス（ＣＲＩ）について前記ＣＳＩを符号化するための手段と
を備える、ワイヤレス通信のための装置。
【請求項１０】
前記ＣＳＩ報告のための前記ペイロードサイズが、前記選択されたＣＲＩについての最大ＣＳＩビット数に基づく、請求項９に記載の装置。
【請求項１１】
前記最大ＣＳＩビット数が、プリコーディング行列インジケータ（ＰＭＩ）のｉ１およびｉ２部分についてのＰＭＩビットの合計、ならびにチャネル品質インジケータ（ＣＱＩ）ビットの合計として決定される、請求項１０に記載の装置。
【請求項１２】
前記選択されたＣＲＩについての前記最大ＣＳＩビット数がルックアップテーブルから得られる、請求項１０に記載の装置。
【請求項１３】
前記符号化するための手段が、前記選択されたＣＲＩにかかわらず前記パケット長が同じであることを確実にするためにパディングビットを含めるための手段を備える、請求項９に記載の装置。
【請求項１４】
前記符号化するための手段が、１つのＣＲＩのみが考慮される場合にＣＲＩフィールドを省略するための手段を備える、請求項９に記載の装置。
【請求項１５】
前記符号化するための手段が、前記選択されたＣＲＩについての前記サポートされるランクが１である場合にランクインジケータ（ＲＩ）フィールドを省略するための手段を備える、請求項９に記載の装置。
【請求項１６】
前記符号化するための手段が、少なくともポーラ符号について、前記コーディングされたパケット中のＣＳＩビットを情報ビット位置に昇順でマッピングするための手段を備える、請求項９に記載の装置。
【請求項１７】
サポートされるランクに少なくとも部分的に基づいてチャネル状態情報（ＣＳＩ）報告のためのペイロードサイズを決定することと、
前記決定されたペイロードサイズに基づいて前記ＣＳＩ報告のためのパケット長を計算することと、
コーディングされたパケットを生成するために、前記ペイロードサイズおよび前記計算されたパケット長に基づいて、選択されたＣＳＩリソースインデックス（ＣＲＩ）について前記ＣＳＩを符号化することと
を行うための命令が記憶されたコンピュータ可読媒体。
【手続補正２】
【補正対象書類名】明細書
【補正対象項目名】０１３１
【補正方法】変更
【補正の内容】
【０１３１】
[0103]  特許請求の範囲は、上記で示された厳密な構成および構成要素に限定されないことを理解されたい。上記で説明された方法および装置の構成、動作ならびに詳細において、特許請求の範囲の範囲から逸脱することなく、様々な改変、変更および変形が行われ得る。
以下に、本願の出願当初の特許請求の範囲に記載された発明を付記する。
［Ｃ１］
サポートされるランクに少なくとも部分的に基づいてチャネル状態情報（ＣＳＩ）報告のためのペイロードサイズを決定することと、
前記決定されたペイロードサイズに基づいて前記ＣＳＩ報告のためのパケット長を計算することと、
コーディングされたパケットを生成するために、前記ペイロードサイズおよび前記計算されたパケット長に基づいて、選択されたＣＳＩリソースインデックス（ＣＲＩ）について前記ＣＳＩを符号化することと
を備える、ワイヤレス通信のための方法。
［Ｃ２］
前記ＣＳＩ報告のための前記ペイロードサイズが、前記選択されたＣＲＩについての最大ＣＳＩビット数（maximum number of CSI bits）に基づく、Ｃ１に記載の方法。
［Ｃ３］
前記最大ＣＳＩビット数が、プリコーディング行列インジケータ（ＰＭＩ）のｉ１およびｉ２部分についてのＰＭＩビットの合計、ならびにチャネル品質インジケータ（ＣＱＩ）ビットの合計として決定される、Ｃ２に記載の方法。
［Ｃ４］
前記選択されたＣＲＩについての前記最大ＣＳＩビット数がルックアップテーブル（lookup table）から得られる、Ｃ２に記載の方法。
［Ｃ５］
前記符号化することが、前記選択されたＣＲＩにかかわらず前記パケット長が同じであることを確実にするためにパディングビットを含めることを備える、Ｃ１に記載の方法。
［Ｃ６］
前記符号化することが、１つのＣＲＩのみが考慮される場合にＣＲＩフィールドを省略することを備える、Ｃ１に記載の方法。
［Ｃ７］
前記符号化することが、前記選択されたＣＲＩについての前記サポートされるランクが１である場合にランクインジケータ（ＲＩ）フィールドを省略することを備える、Ｃ１に記載の方法。
［Ｃ８］
前記符号化することが、少なくともポーラ符号について、前記コーディングされたパケット中のＣＳＩビットを情報ビット位置に昇順でマッピングすることを備える、Ｃ１に記載の方法。
［Ｃ９］
サポートされるランクに少なくとも部分的に基づいてチャネル状態情報（ＣＳＩ）報告のためのペイロードサイズを決定するための手段と、
前記決定されたペイロードサイズに基づいて前記ＣＳＩ報告のためのパケット長を計算するための手段と、
コーディングされたパケットを生成するために、前記ペイロードサイズおよび前記計算されたパケット長に基づいて、選択されたＣＳＩリソースインデックス（ＣＲＩ）について前記ＣＳＩを符号化するための手段と
を備える、ワイヤレス通信のための装置。
［Ｃ１０］
前記ＣＳＩ報告のための前記ペイロードサイズが、前記選択されたＣＲＩについての最大ＣＳＩビット数に基づく、Ｃ９に記載の装置。
［Ｃ１１］
前記最大ＣＳＩビット数が、プリコーディング行列インジケータ（ＰＭＩ）のｉ１およびｉ２部分についてのＰＭＩビットの合計、ならびにチャネル品質インジケータ（ＣＱＩ）ビットの合計として決定される、Ｃ１０に記載の装置。
［Ｃ１２］
前記選択されたＣＲＩについての前記最大ＣＳＩビット数がルックアップテーブルから得られる、Ｃ１０に記載の装置。
［Ｃ１３］
前記符号化するための手段が、前記選択されたＣＲＩにかかわらず前記パケット長が同じであることを確実にするためにパディングビットを含めるための手段を備える、Ｃ９に記載の装置。
［Ｃ１４］
前記符号化するための手段が、１つのＣＲＩのみが考慮される場合にＣＲＩフィールドを省略するための手段を備える、Ｃ９に記載の装置。
［Ｃ１５］
前記符号化するための手段が、前記選択されたＣＲＩについての前記サポートされるランクが１である場合にランクインジケータ（ＲＩ）フィールドを省略するための手段を備える、Ｃ９に記載の装置。
［Ｃ１６］
前記符号化するための手段が、少なくともポーラ符号について、前記コーディングされたパケット中のＣＳＩビットを情報ビット位置に昇順でマッピングするための手段を備える、Ｃ９に記載の装置。
［Ｃ１７］
サポートされるランクに少なくとも部分的に基づいてチャネル状態情報（ＣＳＩ）報告のためのペイロードサイズを決定することと、前記決定されたペイロードサイズに基づいて前記ＣＳＩ報告のためのパケット長を計算することと、コーディングされたパケットを生成するために、前記ペイロードサイズおよび前記計算されたパケット長に基づいて、選択されたＣＳＩリソースインデックス（ＣＲＩ）について前記ＣＳＩを符号化することとを行うように構成された少なくとも１つのプロセッサと、
前記コーディングされたパケットを送信するように構成された送信機と
を備える、ワイヤレス通信のための装置。
［Ｃ１８］
前記ＣＳＩ報告のための前記ペイロードサイズが、前記選択されたＣＲＩについての最大ＣＳＩビット数に基づく、Ｃ１７に記載の装置。
［Ｃ１９］
前記最大ＣＳＩビット数が、プリコーディング行列インジケータ（ＰＭＩ）のｉ１およびｉ２部分についてのＰＭＩビットの合計、ならびにチャネル品質インジケータ（ＣＱＩ）ビットの合計として決定される、Ｃ１８に記載の装置。
［Ｃ２０］
前記選択されたＣＲＩについての前記最大ＣＳＩビット数がルックアップテーブルから得られる、Ｃ１８に記載の装置。
［Ｃ２１］
前記符号化することが、前記選択されたＣＲＩにかかわらず前記パケット長が同じであることを確実にするためにパディングビットを含めることを備える、Ｃ１７に記載の装置。
［Ｃ２２］
前記符号化することが、１つのＣＲＩのみが考慮される場合にＣＲＩフィールドを省略することを備える、Ｃ１７に記載の装置。
［Ｃ２３］
前記符号化することが、前記選択されたＣＲＩについての前記サポートされるランクが１である場合にランクインジケータ（ＲＩ）フィールドを省略することを備える、Ｃ１７に記載の装置。
［Ｃ２４］
前記符号化することが、少なくともポーラ符号について、前記コーディングされたパケット中のＣＳＩビットを情報ビット位置に昇順でマッピングすることを備える、Ｃ１７に記載の装置。
［Ｃ２５］
サポートされるランクに少なくとも部分的に基づいてチャネル状態情報（ＣＳＩ）報告のためのペイロードサイズを決定することと、
前記決定されたペイロードサイズに基づいて前記ＣＳＩ報告のためのパケット長を計算することと、
コーディングされたパケットを生成するために、前記ペイロードサイズおよび前記計算されたパケット長に基づいて、選択されたＣＳＩリソースインデックス（ＣＲＩ）について前記ＣＳＩを符号化することと
を行うための命令が記憶されたコンピュータ可読媒体。